(57)【要約】  容器の可撓性の側壁部分と、縁部分とを有する容器又はピッチャーであって、該縁部分はピッチャーがあてがわれる対象物の形状に適合し、これにより、ピッチャーからの流体の流れをより広い領域に亙って向け、また、流体がピッチャーから流れるから且つピッチャーの縁部の下方を流れ、流体をかけることを望まない対象物の部分に達するのを防止することができる、上記の容器又はピッチャーが提供される。【選択図】  図３
2010537910.tif 000002
【特許請求の範囲】
【請求項１】
容器において、
上側壁端及び下側壁端にて終わる全体として剛性で連続的な側壁であって、該連続的な側壁により境が設定される内部空間を規定する前記剛性で連続的な側壁と、
前記下側壁端を閉じる底部と、
前記側壁の一部分を形成し且つ上側壁端の少なくとも一部分を形成するように伸びる内方に可撓性のパネルであって、流体の流れを妨害しないよう全体として滑らかな内面を有する前記内方に可撓性のパネルと、を備える、容器。
【請求項２】
請求項１に記載の容器において、前記上側壁端に装着された縁部を更に備える、容器。
【請求項３】
請求項２に記載の容器において、前記縁部はスポンジ材料から成る、容器。
【請求項４】
請求項２に記載の容器において、前記縁部はゴムから成る、容器。
【請求項５】
請求項２に記載の容器において、前記縁部は布から成る、容器。
【請求項６】
請求項１に記載の容器において、ハンドルを更に備える、容器。
【請求項７】
請求項１に記載の容器において、前記容器の内部を分割する仕切り部であって、前記可撓性のパネルに対して全体として平行に向き決めされる前記仕切り部を更に備える、容器。
【請求項８】
請求項１に記載の容器において、前記容器の内部を分割すると共に、前記底部と接触し、前記内部の第一及び第二の流体保持部分を規定する
仕切り部であって、前記可撓性のパネルに対して全体として平行に向き決めされる前記仕切り部を更に備え、前記第一及び第二の流体保持部分は、前記可撓性のパネルに対して押し付けられた対象物上に流体をほぼ同時に注ぐよう作用するようにした、容器。
【請求項９】
容器において、
上側壁端及び下側壁端を有する、全体として剛性で連続的な側壁であって、該連続的な側壁により境が設定される内部空間を規定する前記剛性で連続的な側壁と、
前記下側壁端に装着された底部と、
前記上側壁端に接続された縁部と、
前記縁部が押し付けられる対象物の形状に適合するよう十分に内方に可撓性の前記縁部の一部分と、
前記側壁の一部分を形成し且つ前記内方に可撓性の縁部分と接続する内方に可撓性のパネルであって、流体の流れを妨害しないよう全体として滑らかな内面を有する前記内方に可撓性のパネルと、を備える、容器。
【請求項１０】
請求項９に記載の容器において、前記側壁の少なくとも一部分は、凹状であり、該凹状の側壁部分は、可撓性の材料から成る縁部分を有する、容器。
【請求項１１】
請求項１０に記載の容器において、前記縁部はスポンジ材料から成る、容器。
【請求項１２】
請求項１０に記載の容器において、前記縁部はゴムから成る、容器。
【請求項１３】
請求項１０に記載の容器において、前記縁部は布から成る、容器。
【請求項１４】
請求項９に記載の容器において、ハンドルを更に備える、容器。
【請求項１５】
請求項９に記載の容器において、前記容器の内部を分割する仕切り部であって、前記可撓性のパネルに対して全体として平行に向き決めされる前記仕切り部を更に備える、容器。
【請求項１６】
請求項９に記載の容器において、前記容器の内部を分割すると共に、前記底部と接触し、前記内部の第一及び第二の流体保持部分を規定する仕切り部であって、前記可撓性のパネルに対して全体として平行に向き決めされる前記仕切り部を更に備え、前記第一及び第二の流体保持部分は、前記可撓性のパネルに対して押し付けられた対象物上に流体をほぼ同時に注ぐよう作用するようにした、容器。
【請求項１７】
容器において、
容器本体を規定する、前記側壁の上端及び下端側壁を有する、全体として剛性で連続的な側壁と、
内側の流体保持内部を規定するように前記下側壁端に結合された底部と、を備え、前記上端は、
可撓性の縁セグメントを有する縁部を備え、
前記可撓性の縁部セグメントに隣接する前記側壁内の空隙と、
該側壁の空隙に渡り且つ前記可撓性の縁部セグメントと接続するように伸びる内方に可撓性のパネルであって、流体の流れを妨害しないよう全体として滑らかな内面を有し、該可撓性のパネルに対して押し付けられる対象物の形状に適合可能な前記内方に可撓性のパネルと、
前記内部を分割し且つ前記底部と接触して前記内部の第一及び第二の流体保持部分を規定する仕切り部であって、前記可撓性のパネルに対して全体として平行に向き決めされた前記仕切り部とを備え、前記第一及び第二の流体保持部分は、前記可撓性のパネルに対して押し付けられる対象物に流体をほぼ同時に注ぐよう作用する、容器。
【請求項１８】
請求項１７に記載の容器において、前記縁セグメントはスポンジ材料から成る、容器。
【請求項１９】
請求項１７に記載の容器において、前記縁セグメントはゴム材料から成る、容器。
【請求項２０】
請求項１７に記載の容器において、前記縁セグメントは
前記可撓性のパネルから成る、容器。
【請求項２１】
請求項１７に記載の容器において、ハンドルを更に備える、容器。
【発明の詳細な説明】
【関連出願の相互参照】
【０００１】
本出願は、２００３年２月４日付けで出願された、米国特許出願第１０／３５７，６５１号の一部継続出願である、２００４年２月２日付けで出願された、米国特許出願第１０／７７０，３２５号の一部継続出願である。
【技術分野】
【０００２】
本発明は、容器に関し、具体的には、流体を保持するため使用される容器、特に、可撓性の側壁部分と、ピッチャーが用いられる対象物の形状に適合することのできる縁部分とを有する容器であって、流体の流れをピッチャーからより特定的に向けると共に、ピッチャーから流体を注ぐことを意図しない領域への流体の流れを防止するための上記の容器に関する。
【背景技術】
【０００３】
流体を注ぐためピッチャーを使用するとき、流体の流れをグラス又はその他の容器のような、特定の位置に注ぐことが望まれることが多い。これと代替的に、実際の注ぎ口を提供しないが、床又は自動車を洗浄するときのように、より多量の流体又はより広い流体の流れを注ぐことが望まれるとき、単に縁部を有する容器又はピッチャーを使用することが有用であろう。しかし、これら型式の容器及び注ぐ作業の双方は、特定の用途に特有の欠点がある。例えば、注ぎ口を有するピッチャーを使用するとき、ピッチャーから注がれる流体は、特定の領域、特に、流体が注ぎ口から出るとき、流体の流れにより決まる領域にのみかけることができる。これは、水をグラス、別の容器又は特定の領域に注ぐには有用であるが、流体をより大きい領域にかけるためには使用できない。しかし、注ぎ口を使用することは、水の流れを狭くする一方、狭い水の柱状流れを提供し、この水の流れは、この流れが向けられる対象物又は容器と接触するとき、全方向に向けて流れることになろう。
【先行技術文献】
【特許文献】
【０００４】
【特許文献１】米国特許第１０／３５７，６５１号出願明細書
【特許文献２】米国特許第１０／７７０，３２５号出願明細書
【発明の概要】
【発明が解決しようとする課題】
【０００５】
流体を容器から注ぐその他の場合、すなわち、バケツ又はその他の広い縁部の容器の場合にも、流体を注ぐことに関して制限を課す。バケツ又は注入口が無いピッチャーの場合、水は、ピッチャーからピッチャーの縁部又は端縁を越えて流れ、且つピッチャーから流れるより幅の広い流体の流れを形成し、この幅の広い流体の流れは、垂直から水平に動くとき、ピッチャーの長手方向軸線の角度に関係付けられるであろう。当然ではあるが、ピッチャーの長手方向軸線（すなわち、ピッチャーの底部及びピッチャーの頂部を通る軸線）が垂直に対して平行であるとき、流体はピッチャーから流れない。長手方向軸線が水平面に向けて益々傾いた場合、ピッチャーの縁部を越えて流れる流体は益々増大し、また、ピッチャーから流れる流れは、益々幅が広くなるであろう。バケツのような、かかる注ぎ口無しのピッチャーは、例えば、ある領域を洗うとき、有用である幅の広い流体の流れを提供するが、依然として、流体が注がれる対象物を越えて流れる流れの分配について何も制御しない。特に、水の流れがバケツから注がれる場合、水の流れがその流れが注がれる対象物と接触したとき、水は、全方向に向けて流れ、流れは単一の方向にのみ制限されない。ピッチャーの縁部が流体が流れる対象物に直接、押し付けられる場合でさえ、流体は、ピッチャーに向けて後方に流れ、且つピッチャーの下側を流れ、ピッチャーの側壁付近の対象物の部分に達する。
【０００６】
シャンプー及びその他のヘアトリートメントを子供の頭から洗い流す特定の場合において、このピッチャーからの「後方への流れ」は、子供を見ることができるが、声は聞こえないビクトリア風設備に対して強制的な支持体を提供することができる。特に、子供の頭を洗うため使用して浴槽の水に浸し、また、浴槽の水から引き上げられるピッチャーからの洗い水の後方への流れのため、シャンプー及びその他の髪及び頭皮のトリートメントが子供の前額から下方に流れて子供の眼及び顔に入る。このため、子供が叫び、泣き及び腕を動かすことを通じてその状況を親に知らせる。洗う石鹸の泡が子供の眼及び口、また鼻に入る可能性は、親又は子供の双方にとって不快なことであり、入浴時間が近づくにつれ、嫌悪感を持つ可能性がある。通常、この問題点を制限しようとする最良の試みでも、うまくいかないのが事実である。洗う間、子供に対し眼を固く閉じるよう要求することは、限定的にしか成功しないであろう。子供は、なんらかの理由のため、洗う間、眼を開けることがあり、そのとき、石鹸水が眼に接触し、また、眼に刺激性の痛みを与える。これと別に、子供は、洗い水をかけるとき、眼を閉じる時間を適正に調節することができず、その瞼の動きを調和させることができなため刺激的な痛みを受けることがある。親が手で子供の前額を支えることによりその状況を助けようとするときでも、石鹸水の一部は、不可避的に子供の前額に沿って下方に滴れて、子供の眼、口又は鼻に入ることになろう。
【０００７】
このため、洗い水の流れが洗い水ピッチャー又は容器から流れ且つ容器の縁部の下方にて後方に流れるのを防止し、これにより子供の頭のような、対象物に対して洗い水を特定的に、一定の方向にかけることができる洗い水容器又はピッチャーを提供することができるならば、非常な利点が得られるであろう。
【０００８】
対象物に対してより幅の広い洗い水の流れを提供し、対象物をより効果的に洗うことができ、また、洗い水の流れをピッチャーから対象物に向ける手段を提供すると共に、洗い水をかけることを意図しない対象物の領域への洗い水の後方への流れを防止する手段を提供するピッチャー又は洗い水容器により更なる別の利点を得ることができよう。
【０００９】
かかるピッチャー又は洗い容器は、ピッチャー内の洗い水がかけられる対象物の形状に適合し、これにより洗い水を受け取る対象物の部分を洗い水を受け取らない対象物の部分から規制することができるならば、更なる利点が得られるであろう。これらの目的及び利点は、以下により完全に説明する本発明により提供される。
【課題を解決するための手段】
【００１０】
本発明は、洗い水又はシャンプー又はその他の液体のような溶液を保持し、これらの液体が頭のような身体の局所的部分にかけられるのを許容するピッチャーを提供することにより上記の問題点を解決し且つ当該技術の状況を改良するものである。本発明は、人間の頭のような対象物の形状に適合し、流体を身体にかけることを許容すると共に、縁部の下方から及び流体をかけることを望まない身体部分の下方から流体が流れるのを防止することにより、不正確な流体の注ぎを防止する容器の可撓性のパネル及び（又は）可撓性の縁部分を提供する。
【００１１】
１つの実施の形態において、本発明は、子供の頭又はその他の対象物の形状に適合し、可撓性の縁部の下方にて流体が後方に流れるのを効果的に封止し、これにより洗い水のような流体が子供の髪にかけられるのを許容する一方にて、洗い水及び洗い水−シャンプーの混合体の流れが子供の顔及び眼に入るのを防止することのできる可撓性のパネルを提供する。
【００１２】
別の実施の形態において、容器が用いられる対象物までの第二の流体流れの供給源を提供する仕切りパネルが容器内にて提供され、この仕切りパネルは、子供の頭又は可撓性のパネルがあてがわれるその他の対象物の形状に適合するため、可撓性のパネルが偏向することにより、対象物から部分的に偏向することのない流れの供給源を提供する。
【００１３】
上記のその他の目的は、本発明を示すことを目的とし、また、限定的な意味を有することを意図するものではない。本発明の多くの可能な実施の形態が実現可能であり、また、以下の説明及び添付図面を検討することにより明らかになるであろう。その他の特徴及びサブ組合せを用いることなく、本発明の各種の特徴及びサブ組合せ体を採用することができる。本発明のその他の目的及び有利な効果は、本発明の１つの実施の形態に関する、単に一例として示した以下の説明及び図面から明らかになるであろう。
【００１４】
当該出願人が本発明の原理を適用しようと考える最良の形態を示す、本発明の好ましい実施の形態は、以下の説明に記載且つ図面に示されており、また、特許請求の範囲に特定的に且つ明確に指摘され且つ記載されている。
【図面の簡単な説明】
【００１５】
【図１】容器の側壁の一部分と、容器の側壁の頂端縁とを備える、可撓性のパネルを示す本発明のピッチャーの頂部及び側部斜視図である。
【図２】ハンドルに対向する可撓性の壁部分を示す、図１の実施の形態の内部斜視図である。
【図３】水が子供の髪及び頭の後側の上を流れるのを許容する一方にて、可撓性のパネル及び可撓性の縁部が子供の頭の形状に適合し且つ水が子供の頭の前側に沿って下方に流れて子供の眼及び顔に入るのを防止する、本発明の実施の形態を子供の頭にあてがう状態を示す図である。
【図４】可撓性のパネル及び可撓性の縁部を有し、押し込んだ位置にある該パネル及び縁部を示し、また、該パネル及び縁部を仮想線にて弛緩し又は押し込んだ位置にて示す、図４の実施の形態の図である。
【図５】第二の流体源を提供するように容器内に配置された仕切りパネルを有する本発明の実施の形態を示す図である。
【図６】水が子供の髪及び頭の後部の上方を流れるのを許容するよう子供の頭にあてがわれ、可撓性のパネルの偏向による影響を受けない第二の流体の流れ源を提供するよう容器内に配置された仕切りパネルを有する、図５の実施の形態を示す図である。
【図７】容器１０を第一の及び第二の流体保持区画に分割する湾曲した仕切りパネルを有する、代替的な実施の形態を示す図である。
【図８】可撓性のパネル２８の内面に設けられた流体を導くリッジ５２を示す、図７の代替的な実施の形態を示す図である。
【図９】可撓性のパネル２８が矢印Ａで示した方向に沿って且つ湾曲した仕切りパネル５０に向けて内方に撓む状態を示し、該湾曲した仕切りパネル５０は、可撓性のパネル２８に向けて且つ矢印Ｂで示した方向に向けて湾曲している、図７及び図８の実施の形態の頂部正面及び右側面図である。
【発明を実施するための形態】
【００１６】
要求されるように、本発明の詳細な実施の形態が本明細書に開示されている。しかし、開示された実施の形態は各種の形態にて具体化することのできる本発明の単に一例にしか過ぎないことを理解すべきである。このため、本明細書にて開示された特定の構造上及び機能上の詳細は、限定的なものと解釈されるべきではなく、単に請求項の基礎として、また、当該技術の当業者に対し、実質的に任意の適正な詳細な構造にて本発明を色々に採用することを教示するための代表的な基礎として解釈されるべきである。
【００１７】
先ず、図１を参照すると、四角形から円形又は多角形にわたる任意の便宜な形状とすることができる、全体として連続的な側壁１２から成る、本発明の容器１０の１つの実施の形態が示されている。連続的な側壁１２は、両端が上側壁端１４及び下側壁端にて終わる。連続的な側壁１２は、ゴム又はプラスチック又は金属若しくは木にて形成し、又は、流体を連続的な側壁１２内に保持する作用を果たす任意の材料にて形成することができる。底部又は底部パネル１８（図２）が下側壁端１６と接続されており、この底部又は底部パネルは、下側壁端１６を閉じ、これにより、流体が連続的な側壁１２内に且つ底部１８まで保持されることを許容する作用を果たす。側壁１２を構成するため使用される材料に依存して、底部１８は、側壁１２を形成し、これにより側壁１２及び底部１８の単一の構造体を形成する構成とすることができることが理解されよう。図１に示したように、上側壁端１４は、側壁１２を製造するため使用される材料に依存して、それ自体に、側壁縁部２０を形成することができ、又は、追加的な構造体２０（図３）を上側壁端１４に装着し、別個の側壁縁部２０（図３）を形成することができる。全体として、側壁縁部２０は、上側壁端１４の形状をとるであろうが、これと代替的に、側壁縁部２０の形状を修正するため装飾材料を使用してもよい。更なる便宜として、また、容器１０の寸法に依存してハンドル２２を側壁１２に装着し、容器１０の操作を助けるようにしてもよい。
【００１８】
側壁縁部２０は、１つの好ましい実施の形態において、側壁部分２４から成り、この側壁部分２４は、側壁縁部２０の全体として平坦部分であり、このため、全体として、側壁縁部１２及び側壁２０の他の部分と比較して、その形状が異なるようにしてもよい。例えば、側壁１２がその構造にて、円筒状の容器を備える場合、側壁縁部２０は、全体として円形の側壁縁部２６及び全体として平坦な側壁縁部分又は側壁セグメント又は縁セグメント２４から成るものとされよう。全体として平坦な縁セグメント２４の有用性及び利点については、以下に説明する。１つの好ましい実施の形態において、また、全体として平坦な側壁縁部分２４の付近にて、可撓性のパネル２８があり、この可撓性のパネル２８は、側壁１２から全体として平坦な側壁縁セグメント２４に向けて伸び、側壁１２を縁セグメント２４と接続する。当該技術の当業者には、可撓性のパネル２８及び縁セグメント２４は構造の選択に依存して、同一の材料又は異なる材料から成るものとすることができることが理解されよう。例えば、可撓性のパネル２８は、薄い可撓性のプラスチック又は可撓性のゴムパネルとし、又は防水性キャンバスとすることができ、この防水性キャンバスは、側壁１２に装着され、また、上側壁端１４に向けて上方に伸び、側壁縁セグメント２４と接続し又はこのセグメント２４を形成する。かかる構造において、縁セグメント２４は、異なる材料から出来たものとすることができ、この材料は、可撓性のパネル２８と接続し、又は、例えば、防水性キャンバスを使用した場合、キャンバスは縁セグメント２４を形成する可撓性のコード又はワイヤー上に巻くことができる。このため、当該技術の当業者には、本発明の好ましい実施の形態の１つの目的は、側壁１２又は縁部２０の何れか一方又は縁部２０及び側壁１２の双方の可撓性の整形可能な壁セグメント３０を提供することであり、これらの縁部及び側壁は、容器１０のこの可撓性部分が押し付けられる対象物の形状に適合することができることが理解されよう。
【００１９】
次に、図４を参照しつつ、容器１０の新規な可撓性の側壁部分及び縁部分の可撓性及び構造について更に説明する。図４に示したように、可撓性のパネル２８及び縁セグメント２４は、変形可能であり、また、仮想線で示した位置から内方に容器１０の内部に向けて押すことができる。可撓性のパネル２８及び縁セグメント２４のこの可撓性又は展性の有利な点は、全体として縁セグメント２４である側壁縁部２０の注ぎ部分は、流体を注ぐべき対象物に対して容器１０を押し付けることにより形成し、容器１０内の流体を受け取る対象物の形状とすることができる点である。図３及び図４の双方を参照すると、可撓性のパネル２８及び側壁縁部２４は内方に変形可能であることが示されている。この容器１０の特徴は、容器１０を対象物、この場合、子供の前額（図３）に対して配置し、可撓性のパネル２８及び側壁縁部２４を子供の頭と整合可能に合わせ、幅の広い注ぎ口及びこのための多量の流体を提供し、この流体の量を容器１０から排出し、且つ子供の頭に注いで子供の髪を洗うことができる。
【００２０】
容器１０の可撓性部分を整合可能に合わせることを許容するのは、パネル２８及び側壁縁２４の可撓性の特徴であることが更に理解されよう。可撓性のパネル２８及び側壁縁セグメント２４から成る可撓性の壁部分３０（図１及び図４）は、対象物の形状、この場合、流体を容器１０から注ぐべき子供の頭の形状に適合し、このため、流体が容器１０から流れ且つ側壁縁部２４及びパネル２８の下方にて後方に流れる量を少なくし又はその後方への流れを防止する。この有利な点は、子供の頭からシャンプー又はその他の髪製品を洗い流す場合に特に有用である。洗い流体が容器の側壁縁の下方から排出されて、洗い流体及びシャンプーが子供の前額に沿って下方に流れて眼、鼻、及び口に入るのを防止することは、子供の髪から洗い流されるシャンプー又はその他の製品の刺激的痛みによる眼の不快感を防止できる。可撓性の壁部分３０の構造は、パネル２８と縁セグメント２４との間にて連続的なものとし（図１及び図２）、又は可撓性のパネル２８及び縁部２４は、図３及び図４にて共に接続して容器１０の可撓性の縁セグメント及び側壁部分を提供する別個の構造体としてもよい。例えば、可撓性のパネル２８は、可撓性のプラスチック又はゴムパネル又は防水布パネルにて形成することができ、この防水布パネルは、スポンジにて覆われ又はゴムにて覆われ又は耐水布地にて覆われた可撓性のワイヤーにて製造した縁セグメント２４と接続する。これと代替的に、縁セグメント２４は、側壁縁部２０の任意の部分を備える側壁１２の硬質な部分をわたって配置されるゴム片又はスポンジ片としてもよい。この構造において、展性又は可撓性の縁セグメント２４のみが容器１０が押し付けられる対象物の形状に適合するであろう。この実施の形態において、縁セグメント２４のみが可撓性であり、側壁１２と縁セグメント２４を接続するための可撓性のパネルは何も提供されない。かかる実施の形態において、側壁１２は縁セグメント２４との接続を続け、また、可撓性、展性の特徴は、側壁縁セグメント２４内にてのみ保持される。
【００２１】
説明したように、本発明の利点は、可撓性の側壁セグメント及び（又は）可撓性の縁セグメントを有する容器により実現され、このセグメントは、容器が対象物又は子供の頭と密着し、容器の縁及び側壁の下方にて容器から流体が逆洗いし又は流れるのを防止するのを許容し、また、このセグメントは、これにより子供の頭を洗うとき、石鹸水が子供の眼及び顔面に入るのを防止する。更に、本発明は、上記にて説明したように、容器の可撓性部分がある形状体に成型されるのを許容し、この可撓性部分はこの形状体に押し付けられ、また、多量の流体が全体として平坦な縁セグメントによって対象物から流れるのを許容し、この平坦な縁セグメントは、頭との接触を容易にするゴム緩衝部を保持することができる。本発明の１つの代替的な実施の形態において、側壁には、全体として子供の頭の曲率に適合する凹状部分を設けることができ、また、側壁には、その凹状の側壁部分に展性の縁セグメントが設けられることが更に理解されよう。この展性の縁セグメント部分は、凹状の側壁セグメントよりも子供の頭とより正確に整合し、これにより、水の流れを子供の頭の上方にて向け且つ容器の側壁の下方にて水が後方に流れるのを防止する。
【００２２】
次に、図５を参照すると、本発明の１つの代替的な実施の形態が示されており、この場合、仕切りパネル４０が形成され又は容器１０内に挿入され、連続体１２により画成された内部空間を第一の区画４２及び第二の区画４４に仕切る。上記にて説明したように、本発明の重要な特徴は、可撓性のパネル２８を提供し、又はこれと代替的に、容器１０が押し付けられる対象物の形状に適合することのできる展性の縁セグメント２４を提供することである。可撓性のパネル２８が内方に押されて容器１０が押し付けられる対象物の形状に適合するとき、容器１０内に保持された水は、可撓性のパネル２８の中間部分が内方に押されたとき、一側部又は反対側部（すなわち、可撓性パネル２８の下方外端縁）に向けられる傾向となり、このため、この中間部分は、水を図３に示したように、該端縁に向けて流出することのできる上方点となる。図５及び図６に示した代替的な実施の形態は、第二の区画４４内に捕捉された第二の供給水を提供する手段を提供する。容器１０が図６に示したように、対象物に押し付けられ、また、上方に傾いたとき、第二の区画４４内に保持された水は、仕切りパネル４０に沿って流れ、また、仕切りパネル４０の幅をわたって均一に外方に流れて、容器１０が押し付けられる対象物に達する。これと同時に、第一の区画４２内に保持された水は、可撓性のパネル２８を対象物に対して圧縮することにより可撓性のパネル２８に形成された内方への押し込み程度に依存して、第一の区画４２内に保持された流体のより多くの部分を可撓性のパネル２８の外方下端縁に偏向させ、また可撓性のパネル２８を対象物に押し付けることにより提供される、可撓性のパネル２８の上方部分から離れる傾向となる。このようにして、仕切りパネル４０を保持する本発明の代替的な実施の形態は、対象物の領域をわたる流体の流れを増加させ、この流体の流れは、２つの別個の流体源を提供することにより、可撓性のパネル２８のより大きい撓みを生じさせる。第一の区画４２内に保持される第一の流体源は、可撓性のパネル２８をわたって外方に流れ、また、可撓性のパネル２８の撓み度に依存して、ある程度の偏向を受け、また、第二の区画４４内に保持された流体の第二の成分は、可撓性のパネル２８を押し付ける程度又は撓み程度と独立的に、流れ、このとき、流体は、第二の区画４４から仕切りパネル４０の表面をわたって外方に流れ、容器１０が圧縮される対象物まで流れる。
【００２３】
当該技術の当業者には、仕切りパネル４０は容器１０内のその位置にて固定することができ、又は、パネル４０は、容器１０内にて仕切りパネル４０の摩擦嵌めを使用し又は、容器１０の側壁１２及び（又は）底部１８に形成された支持軌道を使用することにより、容器１０内に挿入し且つ容器１０から除去することができることが理解されよう。
【００２４】
次に、図７を参照すると、容器１０には、容器１０を２つの流体保持区画に分割する、全体として湾曲した仕切りパネル５０が設けられる、本発明の代替的な実施の形態が示されている。第一の流体保持区画４４及び第二の流体保持区画４２は、湾曲した仕切りパネル５０によって分離されている。第一の区画４４及び第二の区画４２は、典型的に、同一の流体を保持するが、これらの区画の各々内に異なる流体を入れてもよいことが理解されよう。図７の実施の形態にて示したように、湾曲した仕切りパネル５０には、パネル５０が可撓性のパネル２８に向けて湾曲するようにする曲率が付与される。このパネル５０の曲率は、湾曲した仕切りパネル５０の形状体に対し流体を導く特徴を提供する。パネル５０の曲率は、水が容器１０から流れ出て可撓性のパネル２８が押付けられる子供又はその他の人間の頭まで流れるとき、第二の区画４４内に保持された水の流れを湾曲した仕切りパネル５０の全体として中心に向ける。これにより、パネル５０の曲率は、第二の区画４４内に保持された流体を子供の頭の中心にまで全体として向け、また、水が第二の区画４４内から注ぎ出されるとき、湾曲した仕切りパネル５０の幅をわたって水が均一に分配されることも防止することが理解されよう。仕切りパネル５０の曲率の利点は、区画４４内に保持された洗い流体の大部分が子供の頭の中心に配置され、また、子供の頭の両側部に沿って下方に注ぎ出すことにより無駄にならず、また、シャンプーの泡が子供の眼に入る可能性の増大に寄与することもない。その他の実施の形態について上述したように、図７に示した実施の形態の可撓性パネル２８は、シャンプーを子供の頭から洗い流しつつ、容器１０を子供の前額に押し付けたとき、湾曲した仕切りパネル５０に向けて内方に撓んだ状態となる。また、可撓性のパネル２８が撓む過程の間、このパネルは、子供の頭に押し付けられるため、ある量の流体は図７にてＳ１、Ｓ２として表示した可撓性パネル２８の下方部分に向けられる。湾曲した仕切りパネル５０に曲率を提供し、子供の頭の中心に向けた水の流れを増すことにより、湾曲した仕切りパネル５０は、可撓性のパネルが子供の前額に対して押し付けられるとき、可撓性のパネル２８が上方に又は内方に撓むため、領域Ｓ１、Ｓ２に向けた第一の区画４２からの水の流れの何らかの増加を補正することを助ける。
【００２５】
次に、図８を参照すると、可撓性のパネル２８の内面には、流体を向けるリッジ５２が含まれる１つの実施の形態が示されている。可撓性のパネル２８が子供の頭に対して撓んだとき、可撓性のパネル２８の側部領域Ｓ１、Ｓ２から流れ出る水の量を少なくするのを助けるようリッジ５２が含まれている。リッジ５２は、１つの好ましい実施の形態において、可撓性のパネル２８が製造されるものと同一の材料にて成形されることが理解されよう。これと代替的に、リッジ５２は、別個に製造し且つ可撓性のパネル２８に取り付けてもよいが、リッジ５２は、パネル２８の可撓性を妨害しないことが望ましく、それは、該パネルは、子供の前額の輪郭に対して容易に整形可能又は成形可能でなければならないからである。当該技術の当業者には、流体を導くリッジ５２は、図８の矢印Ｓ１、Ｓ２で示したように、可撓性のパネル２８の両側部の経路に沿って導かれる流体の量を少なくするのを助けることが理解されよう。このようにして、リッジ５２は、パネル５０の曲率と相俟って、子供の頭の中央に向けられる区画４２、４４からの水の流量を全体として増すことになろう。
【００２６】
次に、図９を参照すると、可撓性のパネル２８が矢印Ａ及び矢印Ｂで示した方向に沿って僅かに内方に撓んだ状態にて提供される、図７及び図８の実施の形態の外側が示されている。図９は、湾曲した仕切りパネル５０に提供された凹部又は曲率の全体的な方向を示す。図９の実施の形態は、可撓性のパネル２８が容器の側壁１２に直接接続され又は成形され、可撓性のパネル２８の上端縁５２が側壁１２の側壁縁部２０の縁部セグメント２４を提供することを示す。
【００２７】
上述した説明において、簡略さ、明確化及び理解のため特定の語を使用した。しかし、かかる語は説明の目的のために使用したものであり、また、広義に解釈されることを意図するものであるから、先行技術の要求以上に不必要な限定を意味することを意図するものではない。更に、本発明の説明及び図面は、単に一例であり、本発明の範囲は、図示し又は説明した正確な詳細にのみ限定されるものではない。
【００２８】
上記の発明を具体化し且つそれを構成する際、本発明の思想及び範囲から逸脱せずに、特定の変更を加えることができるが、上記の説明に含まれ且つ添付図面に示した全ての事項は、単に一例であり、限定的な意味を意図するものではないと解釈されるべきである。
【００２９】
本発明の特徴、知見及び原理について説明したが、本発明の容器又はピッチャーを製造し且つ使用する方法、構造の特徴、得られる利点、新規且つ有用な効果、新規且つ有用な構造体、装置、配置、部品及び組合せは特許請求の範囲に記載されている。
【００３０】
また、特許請求の範囲は、本明細書にて説明した一般的及び特定的な特徴の全てを包含することを意図するものであり、また、言葉の点にて、これらの特徴に属することを考えられる本発明の範囲の全ての記述を包含するものであることを理解すべきである。
【図１】
2010537910.tif 000003
【図２】
2010537910.tif 000004
【図３】
2010537910.tif 000005
【図４】
2010537910.tif 000006
【図５】
2010537910.tif 000007
【図６】
2010537910.tif 000008
【図７】
2010537910.tif 000009
【図８】
2010537910.tif 000010
【図９】
2010537910.tif 000011
【国際調査報告】
2010537910.tif 000012
2010537910.tif 000013